(57)【要約】      （修正有）【課題】従来の背中軟膏塗布用具は、背中に軟膏を塗布する際に使い勝手が良いように工夫されたものであるが、手足やお腹など手が届く場所に軟膏を塗布する場合は、手に軟膏を付けて塗布する必要があり、手に付着した軟膏をその都度洗い流さなければならず、使い勝手が悪いという問題点があった。【解決手段】軟膏等を塗る器具は、軟膏塗布手段を棒状体の先端部に着脱自在に取り付けたことを特徴とするものである。軟膏等を塗る器具１は、軟膏塗布手段２を棒状体３の先端部に側方に突出して形成された円柱部に着脱自在に取り付けている。棒状体３は、合成樹脂材で形成されており、基端側は円柱部と同一方向に約３０センチメートル突出する把持部５が形成されている。棒状体３は、約４０センチメートルの長さを備えている。【選択図】図１
2013255740.tif 000002
【特許請求の範囲】
【請求項１】
軟膏塗布手段を棒状体の先端部に着脱自在に取り付けたことを特徴とする軟膏等を塗る器具。
【請求項２】
前記軟膏塗布手段は、先端面に複数個の開口部が形成された軟膏塗布部と、前記軟膏塗布部の後端に着脱自在に取り付けられる本体と、前記軟膏塗布部と前記本体との少なくとも一方の内面に形成された凹所内を摺動して前期凹所内に設けられた軟膏を先端で押し出す押出し部材とより構成される請求項１記載の軟膏等を塗る器具。
【請求項３】
前記軟膏塗布部の開口部は、網目となっている請求項１又は請求項２記載の軟膏等を塗る器具。
【発明の詳細な説明】
【技術分野】
【０００１】
本発明は、寒い季節等に起こる乾燥肌による皮膚の痒みを抑える軟膏等を塗る器具に関するものである。          
【背景技術】
【０００２】
従来は、乾燥肌による皮膚の痒みが、手の届かない背中等に出来ると、一人ではどうしようもなく痒みを我慢するか、他人に軟膏等を塗り付けてもらうしかないものである。
【先行技術文献】
【特許文献】
【０００３】
【特許文献１】特開２００６−７５５６３号公報
【特許文献２】実用新案登録第３０８３８０７号公報
【発明の概要】
【発明が解決しようとする課題】
【０００４】
上記従来の背中軟膏塗布用具は、背中に軟膏を塗布する際に使い勝手が良いように工夫されたものであるが、背中軟膏塗布用具を使用して手足やお腹など手が届く場所に軟膏を塗布する場合は、使い勝手が悪く、手足やお腹など手が届く場所に軟膏を塗布する場合は、直接手に軟膏を付けて塗布する必要があり、手に付着した軟膏をその都度洗い流さなければならず、使い勝手が悪いという問題点があった。
【課題を解決するための手段】
【０００５】
本発明の軟膏等を塗る器具は、上記の問題点に鑑みてなされたものであり、軟膏塗布手段を棒状体の先端部に着脱自在に取り付けたことを特徴とする。
【発明の効果】
【０００６】
本発明の軟膏等を塗る器具は、軟膏塗布手段を棒状体の先端部に着脱自在に取り付けたことを特徴とするものであり、軟膏塗布手段を棒状体の先端部に着けた状態では手が届かない背中等に軟膏を容易に塗布することができるとともに、軟膏塗布手段を棒状体の先端部から外した状態では手が届く手足やお腹など場所に軟膏を容易に塗布することができるという効果がある。
【図面の簡単な説明】
【０００７】
【図１】図１は本発明の棒状体に軟膏塗布手段を装着した状態の要部を断面した正面図である。
【図２】図２は同上の棒状体と軟膏塗布手段とを分離した状態の正面図である。
【図３】図３は同上の軟膏塗布手段の本体と軟膏塗布部とを分離した状態の正面図である。
【図４】図４は同上の軟膏塗布手段の動作状態を説明する正面図である。
【図５】図５は同上の軟膏塗布手段の動作状態を説明する正面図である。
【図６】図６は同上の軟膏塗布手段の軟膏塗布部の側面図である。
【図７】図７は同上の軟膏塗布手段の軟膏塗布部の他の実施態様の側面図である。
【発明を実施するための形態】
【０００８】
以下、本発明の第１の実施形態について、図１乃至図６を参照して詳細に説明する。
軟膏等を塗る器具１は、軟膏塗布手段２を棒状体３の先端部に側方に突出して形成された円柱部４に着脱自在に取り付けている。棒状体３は、合成樹脂材で形成されており、基端側は円柱部４と同一方向に約３０センチメートル突出する把持部５が形成されている。棒状体３は、約４０センチメートルの長さを備えている。
【０００９】
軟膏塗布手段２は、先端面に複数個の開口部６が形成された軟膏塗布部７と、軟膏塗布部７の後端に着脱自在に取り付けられる本体８と、軟膏塗布部７と本体８との両方の内面に形成された凹所９内を摺動して凹所９内に設けられた軟膏Ｎを先端で押し出す押出し部材１０とより構成されている。
【００１０】
軟膏塗布部７は、合成樹脂材で形成されており、軟膏Ｎが押し出される複数個の開口部６が先端面に形成されている。軟膏塗布部７の内面には軟膏Ｎを収納し、凹所９となる収納部１１が開口部６と連通して形成されている。軟膏塗布部７の後端内部には雌ネジ部１２が形成されている。開口部６は、四角形形状の網目となっている。
【００１１】
本体８は、合成樹脂材で形成されており、軟膏塗布部７の凹所９と同一径の凹所１３と、凹所１３よりも小径で同心軸に形成された摺動孔１４が連通して形成されている。本体８の先端外側には雌ネジ部１２に螺合する雄ネジ部１５が形成されている。
【００１２】
押出し部材１０は、合成樹脂材で形成されており、軟膏塗布部７の凹所９及び本体８の凹所１３内を摺動する第１の円柱部１６と、摺動孔１４内を摺動する第２の円柱部１７とを備えており、第２の円柱部１７の端部には棒状体３の円柱部４に着脱自在に挿入される挿入口１８が形成されている。棒状体３の円柱部４は、本体８の外周と棒状体３の先端とが略面一となるように設けられている。
【００１３】
本体８と押出し部材１０との間には環状のパッキン１９が設けられており、軟膏が逆流するのを防止している。
【００１４】
次に、使用方法について説明する。図３に示すように、本体８から軟膏塗布部７を外し、軟膏塗布部７の内面には軟膏Ｎを収納する。次に、図４に示すように、本体８に軟膏塗布部７を装着する。次に、図５に示すように、押出し部材１０を軟膏塗布部７の開口部６側に摺動させて軟膏Ｎを開口部６から押し出して使用するのである。手が届かない背中等に軟膏を塗布する場合は、図１に示すように、棒状体３の円柱部４に押出し部材１０の挿入口１８を挿入して棒状体３に軟膏塗布手段２を装着して使用するのである。
【００１５】
以上、本発明の第１の実施形態について、詳細に説明した。以下においては、本発明の第２の実施形態について、詳細に説明する。
なお、本発明の第２の実施形態においては、第１の実施形態について既述した構成と同様の構成について同一符号を付して詳しい説明を省略し、第１の実施形態とは相違する特徴的な構造について詳述するに留める。
【００１６】
図７において、開口部５は、四角形形状の網目となっている。
【００１７】
以上、本発明を添付図面に示す実施形態に基づいて説明したが、本発明は前記各実施形態に限定されるものではなく、本発明の意図する範囲内であれば、各実施形態において適宜設計変更を行うことや、各実施形態の構成を適宜組み合わせて適用することは可能であり、本発明の技術範囲に属するものである。
【符号の説明】
【００１８】
１    軟膏等を塗る器具
２    軟膏塗布手段
３    棒状体
４    円柱部
５    把持部
６    開口部
７    軟膏塗布部
８    本体
９    凹所
１０    押出し部材
【図１】
2013255740.tif 000003
【図２】
2013255740.tif 000004
【図３】
2013255740.tif 000005
【図４】
2013255740.tif 000006
【図５】
2013255740.tif 000007
【図６】
2013255740.tif 000008
【図７】
2013255740.tif 000009